(57)【要約】【課題】投票金額が入金額内に収まるように投票内容を容易に調整する。【解決手段】投票券発券装置１００は、投票カードから投票対象と投票金額を取得する投票内容取得部１３１と、投票者による優先情報の入力に基づいて投票内容取得部１３１で取得した投票対象の優先順位を決定する優先順位決定部１３２と、投票金額の合計が入金額を上回っているときに、優先順位決定部１３２で決定した優先順位に基づいて投票対象から削除する候補である削除対象候補を決定する削除対象候補決定部１３３と、削除対象候補決定部１３３で決定した削除対象候補を他の投票対象と区別して表示部に表示させる表示制御部１３４と、削除対象候補から投票者により選択された削除対象を投票対象から削除する削除部１３５と、投票金額の合計が入金額以下のときに、投票対象に投票する投票券を発券する発券部１３６と、を備える。【選択図】図３
2014211702.tif 000002
【特許請求の範囲】
【請求項１】
投票カードから投票対象と投票金額を取得する投票内容取得部と、
投票者による優先情報の入力に基づいて、前記投票内容取得部で取得した前記投票対象の優先順位を決定する優先順位決定部と、
前記投票金額の合計が入金額を上回っているときに、前記優先順位決定部で決定した前記優先順位に基づいて、前記投票対象から削除する候補である削除対象候補を決定する削除対象候補決定部と、
前記削除対象候補決定部で決定した前記削除対象候補を他の投票対象と区別して表示部に表示させる表示制御部と、
前記削除対象候補から前記投票者により選択された削除対象を、前記投票対象から削除する削除部と、
前記投票金額の合計が入金額以下のときに、前記投票対象に投票する投票券を発券する発券部と、を備える
ことを特徴とする投票券発券装置。
【請求項２】
請求項１に記載の投票券発券装置において、
前記削除対象候補決定部は、前記投票金額の合計が入金額を上回っているときに、前記優先順位決定部で決定した前記優先順位に基づいて、削除後の投票金額の合計が入金額以下となるように、前記投票対象から削除する削除対象候補を決定する
ことを特徴とする投票券発券装置。
【請求項３】
請求項２に記載の投票券発券装置において、
前記削除対象候補決定部は、前記投票金額の合計が入金額を上回っているときに、削除後の投票金額の合計が入金額以下となるまで、前記優先順位が低いものから順に前記投票対象を削除対象候補として決定する
ことを特徴とする投票券発券装置。
【請求項４】
請求項１に記載の投票券発券装置において、
前記優先順位決定部は、前記投票カードから前記投票者によって記入された前記優先情報を取得し、前記投票カードから取得した前記優先情報に基づいて、前記優先順位を決定する
ことを特徴とする投票券発券装置。
【請求項５】
請求項１に記載の投票券発券装置において、
前記表示制御部は、前記投票者によって入力された前記優先情報を、前記表示部に表示させる
ことを特徴とする投票券発券装置。
【請求項６】
請求項５に記載の投票券発券装置において、さらに、
前記投票内容取得部で取得した前記投票対象を、前記投票者による修正情報の入力に基づいて修正する修正部を備える
ことを特徴とする投票券発券装置。
【請求項７】
請求項６に記載の投票券発券装置において、
前記修正部は、前記投票内容取得部で取得した前記投票対象のうちの誤記入のある投票対象を、前記投票者による修正情報の入力に基づいて訂正する
ことを特徴とする投票券発券装置。
【請求項８】
請求項７に記載の投票券発券装置において、
前記修正部は、前記投票内容取得部で取得した前記投票対象のうちの誤記入のある投票対象を、前記表示部に表示されている前記優先情報の表に対する前記投票者の操作に基づいて訂正する
ことを特徴とする投票券発券装置。
【請求項９】
請求項１乃至請求項８のいずれか１項に記載の投票券発券装置において、
前記発券部は、前記投票内容取得部で取得した前記投票金額の合計が入金額以下のとき、または、前記削除部で削除対象が削除された後の前記投票金額の合計が入金額以下のときに、前記投票券を発券する
ことを特徴とする投票券発券装置。
【請求項１０】
請求項１乃至請求項９のいずれか１項に記載の投票券発券装置において、
前記優先順位決定部は、前記投票者による前記優先情報の入力がないときに、投票オッズに基づいて前記優先情報を生成し、生成した前記優先情報に基づいて前記優先順位を決定する
ことを特徴とする投票券発券装置。
【発明の詳細な説明】
【技術分野】
【０００１】
本発明は、投票カードを受け付けて投票券を発券する装置に関する。
【背景技術】
【０００２】
競馬、競輪、競艇、オートレース等の公営競技では、投票券の発売が、例えば投票券発券装置（自動発売機とも言う）を介して行われている。また、投票券の発売及び払戻が、例えば投票券発払装置（自動発払機とも言う）を介して行われている。なお、以下では、これらの装置を総称して投票券発券装置と記す。
【０００３】
投票券発券装置は、投票対象、投票金額等の投票内容が投票者により記入された投票カードを受け付けると、その投票内容に応じた投票券の発券処理を行う。ただし、投票カードに記入されている投票金額の合計が投票券発券装置に投入した現金と払戻金との合計（以降、入金額と記す）を上回っている場合には、投票券は発券されない。
【０００４】
このため、入金額内での投票券の購入を希望する場合には、投票者は、（１）投票券発券装置の返却ボタンを押下して投票カードを投票券発券装置から取り出し、（２）投票を諦める投票対象に対応する、投票カードの取消欄にマークを記入し、（３）投票券発券装置に改めて投票券を読み込ませる、といった作業を行い、投票金額の合計が入金額内に収まるように投票内容を調整する。これにより、投票者は入金額内で投票券を購入することができる。
【０００５】
ところで、公営競技では、オッズが時々刻々と変化することから、投票締切時刻が近くなってからその時点のオッズを参考に投票内容を決定し投票券の駆け込み購入を行う投票者が多い。駆け込み投票者の投票カードに記入されている投票金額の合計が入金額を上回っている場合、投票内容の調整に時間がかかると、投票締切時刻までに投票金額の合計を入金額内に納めることができず、投票券を購入し損なってしまう。このため、投票内容を容易に調整することができる投票券発券装置が求められている。
【０００６】
投票内容を調整する技術は、例えば、特許文献１に開示されている。
特許文献１には、投票金額が入金額を上回っている場合に、投票券から読み取った投票情報の中から申し込みを取り消す投票情報の選択を受け付ける手段を備えた発券装置が開示されている。特許文献１に開示される発券装置では、投票者は、発券装置上で投票の取消しを行って投票内容を調整することができる。
【先行技術文献】
【特許文献】
【０００７】
【特許文献１】特開２００３−５８９２７号公報
【発明の概要】
【発明が解決しようとする課題】
【０００８】
投票内容を調整する際には、投票者は的中する可能性が高いと考える投票対象を残したいと考えるのが通常である。
【０００９】
しかしながら、特許文献１に開示される発券装置では、どの投票対象が的中する可能性が高いと考えているものかを画面上から把握することができないため、投票を諦める投票対象を決定することは容易ではない。
【００１０】
以上のような実情から、投票内容を更に容易に調整し得る投票券発券装置が望まれている。本発明は、投票金額の合計が入金額内に収まるように投票内容を容易に調整可能な投票券発券装置を提供することを目的とする。
【課題を解決するための手段】
【００１１】
本発明の一態様は、投票カードから投票対象と投票金額を取得する投票内容取得部と、投票者による優先情報の入力に基づいて、前記投票内容取得部で取得した前記投票対象の優先順位を決定する優先順位決定部と、前記投票金額の合計が入金額を上回っているときに、前記優先順位決定部で決定した前記優先順位に基づいて、前記投票対象から削除する候補である削除対象候補を決定する削除対象候補決定部と、前記削除対象候補決定部で決定した前記削除対象候補を他の投票対象と区別して表示部に表示させる表示制御部と、前記削除対象候補から前記投票者により選択された削除対象を、前記投票対象から削除する削除部と、前記投票金額の合計が入金額以下のときに、前記投票対象に投票する投票券を発券する発券部と、を備える投票券発券装置を提供する。
【発明の効果】
【００１２】
本発明によれば、投票金額が入金額内に収まるように投票内容を容易に調整可能な投票券発券装置を提供することができる。
【図面の簡単な説明】
【００１３】
【図１】実施例１に係る投票券発券装置を含むトータリゼータシステムを示す図である。
【図２】実施例１に係る投票券発券装置のハードウェア構成例を示す図である。
【図３】実施例１に係る投票券発券装置の機能ブロック図である。
【図４】実施例１に係る投票券発券装置と管理装置の動作の一例を示すフローチャートである。
【図５】実施例１に係る投票券発券装置で行われる投票券発券処理のフローチャートの一例である。
【図６】実施例１に係る投票券発券装置に挿入される投票カードの一例を示す図である。
【図７】実施例１に係る投票券発券装置のディスプレイに表示される修正画面の一例を示した図である。
【図８】実施例１に係る投票券発券装置のディスプレイに表示される確認画面の一例を示した図である。
【図９Ａ】実施例２に係る投票券発券装置で行われる投票券発券処理のフローチャートの前半部分の一例である。
【図９Ｂ】実施例２に係る投票券発券装置で行われる投票券発券処理のフローチャートの後半部分の一例である。
【図１０】実施例２に係る投票券発券装置に挿入される投票カードの一例を示す図である。
【図１１】実施例２に係る投票券発券装置のディスプレイに表示される修正画面の一例を示した図である。
【図１２】実施例２に係る投票券発券装置のディスプレイに表示される修正画面の他の一例を示した図である。
【図１３】実施例３に係る投票券発券装置の機能ブロック図を示す図である。
【図１４Ａ】実施例３に係る投票券発券装置で行われる投票券発券処理のフローチャートの前半部分の一例である。
【図１４Ｂ】実施例３に係る投票券発券装置で行われる投票券発券処理のフローチャートの後半部分の一例である。
【図１５】実施例３に係る投票券発券装置のディスプレイに表示される修正画面の一例を示した図である。
【図１６】実施例３に係る投票券発券装置のディスプレイに表示される確認画面の一例を示した図である。
【発明を実施するための形態】
【００１４】
以下、図面を参照しながら、本発明の各実施例に係る投票券発券装置について説明する。なお、以下では、投票券発券装置が競馬用の投票券を発券する装置である場合を例に説明するが、投票券発券装置は他の公営競技（例えば競輪、競艇、オートレース等）用の投票券を発券する装置であってもよい。
【実施例１】
【００１５】
図１は、本実施例に係る投票券発券装置１００を含む、トータリゼータシステム１０００を示す図である。
【００１６】
トータリゼータシステム１０００は、投票券の発券、オッズの表示と集計、配当金の計算、投票券の払戻等を管理するシステムである。トータリゼータシステム１０００は、投票券発券装置１００、管理装置２００、ネットワーク３００を含む。
【００１７】
投票券発券装置１００は、図１に示すように、運用状況表示窓１０１、投票券投入口１０２、投票券排出口１０３、投票カード投入排出口１０４、紙幣投入排出口１０５、硬貨投入口１０６、硬貨排出口１０７、ディスプレイ１０８、タッチパネル１０９を含む。
【００１８】
運用状況表示窓１０１は、投票券発券装置１００において、投票券の発券受付中であるか発券停止中であるか、及び、投票券の払戻受付中であるか払戻停止中であるかを表示する。
【００１９】
投票券投入口１０２は、払い戻しをする投票券の投入口である。投票券排出口１０３は、発券された投票券の排出口である。投票カード投入排出口１０４は、投票申し込みマークカード（以降、投票カードと記す。）の投入口であり、また、返却する投票カードの排出口でもある。
【００２０】
紙幣投入排出口１０５は、紙幣の投入口であり、また、返却する紙幣又は釣札とする紙幣の排出口でもある。硬貨投入口１０６は、硬貨の投入口である。硬貨排出口１０７は、返却する硬貨又は釣銭とする硬貨の排出口である。
【００２１】
ディスプレイ１０８は、タッチパネル１０９の下層に配置されており、操作案内、レース案内、投票カードの投票内容等の情報を表示する。ディスプレイ１０８は、例えば液晶ディスプレイである。
【００２２】
タッチパネル１０９は、透過型のタッチパネルであり、各種の入力や投票内容の修正等の際に操作される。ディスプレイ１０８により表示された情報は、タッチパネル１０９を透過して、投票者から視認可能である。投票者は、ディスプレイ１０８により表示された情報を見ながら、タッチパネル１０９に対するタッチ操作を行うことができる。
【００２３】
なお、投票券発券装置１００において、投票券投入口１０２と投票券排出口１０３を一体構成としてもよい。また、硬貨投入口１０６と硬貨排出口１０７を一体構成としてもよい。また、投票カード投入排出口１０４を、投票カード投入口と投票カード排出口のように、別体構成としてもよい。また、紙幣投入排出口１０５を、紙幣投入口と紙幣排出口のように、別体構成としてもよい。
【００２４】
管理装置２００は、投票券発券装置１００とネットワーク３００を介して通信を行い、投票券発券装置１００が行う投票券の発券や投票券の払戻等を管理する。また、管理装置２００は、オッズの計算、配当金の計算等を行う。
【００２５】
ネットワーク３００は、例えば、ＬＡＮ（Local Area Network）、ＷＡＮ（Wide Area Network）、インターネット等のネットワーク、或いは、それらが混在するネットワークである。
【００２６】
図２は、図１に示す本実施例に係る投票券発券装置１００のハードウェア構成例を示す図である。
【００２７】
投票券発券装置１００は、図２に示すように、制御部１１１、ディスプレイ１０８、管理者用ディスプレイ１１２、タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８を含む。
【００２８】
制御部１１１は、ＣＰＵ（Central Processing Unit）１２０、ＲＡＭ（Random Access Memory）１２１、ＨＤＤ（Hard Disk Drive）１２２、通信インタフェース１２３、グラフィック処理ユニット１２４、入出力インタフェース１２５を含み、各々がバス１２６を介して接続されている。なお、制御部１１１は、コンピュータの一例でもある。
【００２９】
ＣＰＵ１２０は、投票券発券装置１００の全体動作を制御する。ＲＡＭ１２１は、ＣＰＵ１２０によって実行させるＯＳ（Operating System）のプログラムやアプリケーションプログラムの少なくとも一部を一時的に格納する。また、ＲＡＭ１２１は、ＣＰＵ１２０による処理に必要な各種データ（例えば投票内容のデータ等）を格納する。ＨＤＤ１２２は、ＯＳやアプリケーションプログラムを格納する。
【００３０】
通信インタフェース１２３は、ネットワーク３００に接続され、例えば、管理装置２００との間でデータ（各種の情報、電文、通知等）の送受信を行う。
【００３１】
なお、ＣＰＵ１２０によって実行されるＯＳのプログラムやアプリケーションプログラムは、図示しない外部装置から、ネットワーク３００及び通信インタフェース１２３を介して、例えばＲＡＭ１２１に格納されて、ＣＰＵ１２０によって実行されてもよい。また、後述の可搬型記録媒体１１９に格納され、後述の可搬型記録媒体インタフェース及び入出力インタフェース１２５を介して、例えばＲＡＭ１２１に格納されて、ＣＰＵ１２０によって実行されてもよい。
【００３２】
グラフィック処理ユニット１２４は、ディスプレイ１０８、管理者用ディスプレイ１１２が接続されている。グラフィック処理ユニット１２４は、ＣＰＵ１２０の制御の下に、各種の情報をディスプレイ１０８、管理者用ディスプレイ１１２の画面に表示させる。なお、管理者用ディスプレイ１１２は、投票券発券装置１００の裏面側に設けられる管理者向けのディスプレイである。
【００３３】
入出力インタフェース１２５には、タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８が接続されている。また、入出力インタフェース１２５は、可搬型記録媒体１１９に対する情報の書込み及び読出しが可能な可搬型記録媒体インタフェースと接続可能になっている。
【００３４】
入出力インタフェース１２５は、タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８、可搬型記録媒体インタフェースから送られてくる信号を、バス１２６を介してＣＰＵ１２０に送信する。また、入出力インタフェース１２５は、ＣＰＵ１２０から送られてくる制御信号を、バス１２６を介して対応するユニット（タッチパネル１０９、管理者用タッチパネル１１３、投票カード読取ユニット１１４、紙幣還流ユニット１１５、硬貨還流ユニット１１６、投票券印刷ユニット１１７、払戻投票券読取ユニット１１８、又は可搬型記録媒体インタフェース）へ送信する。
【００３５】
投票カード読取ユニット１１４は、投票カードから投票内容を読み取るユニットである。紙幣還流ユニット１１５は、紙幣の受け入れ、紙幣の真贋の鑑別、紙幣の収納、紙幣の返却、釣札の排出を行う。硬貨還流ユニット１１６は、硬貨の受け入れ、硬貨の真贋の鑑別、硬貨の収納、硬貨の返却、釣銭の排出を行う。投票券印刷ユニット１１７は、投票内容を印刷して投票券を発券する。払戻投票券読取ユニット１１８は、投票券を受け入れて投票内容を読み取る。
【００３６】
なお、投票券発券装置１００において、制御部１１１は、例えば、ＦＰＧＡ（Field Programmable Gate Array）やＤＳＰ（Digital Signal Processor）等のモジュールを含む構成とすることもできる。この場合、制御部１１１は、不揮発性メモリ（例えば、ＥＥＰＲＯＭ（Electrically Erasable and Programmable Read Only Memory）、フラッシュメモリ、フラッシュメモリ型メモリカード等）を含み、モジュールのファームウェアを記憶する。不揮発性メモリには、可搬型記録媒体１１９、或いは通信インタフェース１２３を介してファームウェアを書き込むことができる。このように制御部１１１は、不揮発性メモリに記憶されているファームウェアを書き換えることにより、ファームウェアの更新をすることもできる。
【００３７】
図３は、図１に示す本実施例に係る投票券発券装置１００の機能ブロック図である。図３を参照しながら、投票券発券処理において発揮される投票券発券装置１００の機能について説明する。
【００３８】
投票券発券装置１００は、図３に示すように、投票内容取得部１３１、優先順位決定部１３２、削除対象候補決定部１３３、表示制御部１３４、削除部１３５、発券部１３６を含む。
【００３９】
投票内容取得部１３１は、投票カード投入排出口１０４に投入された投票カードから投票対象と投票金額を含む投票内容を取得する。優先順位決定部１３２は、投票者から優先情報の入力を受け付けて、その優先情報の入力に基づいて投票内容取得部１３１で取得した投票対象の優先順位を決定する。削除対象候補決定部１３３は、投票内容取得部１３１で取得した投票金額の合計が入金額を上回っているときに、優先順位決定部１３２で決定した優先順位に基づいて、投票対象から削除する候補である削除対象候補を決定する。表示制御部１３４は、削除対象候補決定部１３３で決定した削除対象候補を他の投票対象と区別して表示部であるディスプレイ１０８に表示させる。削除部１３５は、削除対象候補から投票者により選択された削除対象を、投票対象から削除する。発券部１３６は、投票金額の合計が入金額以下のときに、投票対象に投票する投票券を発券する。
【００４０】
なお、図３に示す投票券発券装置１００の構成は、図２に示すＣＰＵ１２０が所定のプログラムを実行することにより実現されるものである。ここで、図３の投票内容取得部１３１及び優先順位決定部１３２は、例えば、図２の制御部１１１、タッチパネル１０９、投票カード読取ユニット１１４に対応する。図３の削除対象候補決定部１３３は、例えば、図２の制御部１１１に対応する。図３の削除部１３５は、例えば、図２の制御部１１１、ディスプレイ１０８、タッチパネル１０９に対応する。図３の表示制御部１３４は、例えば、図２の制御部１１１に対応する。図３の発券部１３６は、例えば、図２の制御部１１１及び投票券印刷ユニット１１７に対応する。
【００４１】
図４は、投票券発券装置１００と管理装置２００の動作の一例を示すフローチャートである。
【００４２】
電源ＯＮにより起動した投票券発券装置１００は、まず、管理装置２００から運用データを取得する（ステップＳ１１）。運用データは、投票券発券装置１００の起動を確認した管理装置２００により通知される（ステップＳ２１）。運用データは、投票券の発売情報を含む。投票券の発売情報は、例えば、発売場（レースの開催場所（単に「場」とも言う））、発売レース、発売式別、予定投票締切時刻、発売状況等の情報を含む。なお、予定投票締切時刻は、現在時刻との比較により投票締切までの残時間を求めることが可能であることから、投票締切までの残時間に対応する。運用データを取得した投票券発券装置１００は、例えば、発券受付中及び払戻受付中である旨を運用状況表示窓１０１に表示する。
【００４３】
続いて、投票券発券装置１００は、管理装置２００から投票券の発売状況の情報を取得する（ステップＳ１２）。投票券の発売状況の情報は、管理装置２００により定期的に、または、発売停止、減算停止などのイベント発生により通知される（ステップＳ２２）。なお、投票券発券装置１００は、管理装置２００により通知される投票券の発売状況の情報を随時受け付ける。投票券発券装置１００は、投票券の発売状況の情報を更新する。投票券の発売状況の情報は、発売中レース（場、レース番号を含む）、発売締切（発売停止）レース（場、レース番号を含む）、減算中レース（場、レース番号を含む）、減算締切（減算停止）レース（場、レース番号を含む）、投票数、オッズ等の情報を含む。また、管理装置２００は、予定投票締切時刻や発走数（出走取消）などレース進行に関わる情報に変更がある場合は、レース進行に関わる情報を含めて通知する。
【００４４】
なお、上記の運用データや投票券の発売状況の情報は、例えばＲＡＭ１２１に記憶される。
【００４５】
続いて、投票券発券装置１００は、投票券発券処理を行う（ステップＳ１３）。なお、詳細は図５を用いて後述するが、この処理では、例えば、必要な電文（例えば投票電文）が管理装置２００へ送信され、その応答に応じて対応する処理（例えば発券）等が行われる。管理装置２００は、投票券発券装置１００から電文（例えば投票電文）を受け付けると、その応答（例えば発券許可応答）を行う（ステップＳ２３）。
【００４６】
続いて、投票券発券装置１００は、管理装置２００からの運用終了通知を受け付けたか否かに応じて、投票券発券処理の運用を終了するか否かを判定する（ステップＳ１４）。管理装置２００は、投票券発券装置１００による投票券発券処理の運用を終了させる場合、投票券発券装置１００へ運用終了を通知する（ステップＳ２４）。
【００４７】
ステップＳ１４の判定結果がＮｏの場合、投票券発券装置１００は、投票券発券処理の運用を継続し、処理がステップＳ１２へ戻る。
【００４８】
一方、ステップＳ１４の判定結果がＹｅｓの場合、投票券発券装置１００は、運用終了処理を行って（ステップＳ１５）、投票券発券処理の運用を終了し、本動作が終了する。なお、運用終了処理では、例えば、投票券の発券停止中及び払戻停止中である旨が運用状況表示窓１０１に表示される。
【００４９】
図５は、投票券発券装置１００で行われる投票券発券処理のフローチャートの一例である。図６は、投票券発券装置１００に挿入される投票カード１０の一例を示す図である。以下、図５及び図６を参照しながら、図６に示す投票カード１０が投票券発券装置１００に挿入された場合を例に、図４のステップＳ１３に示す投票券発券処理について詳細に説明する。
【００５０】
投票券発券装置１００は、まず、現金及び払戻投票券の受入処理を行う（ステップＳ１０１）。この処理では、紙幣投入排出口１０５及び硬貨投入口１０６を介して投票者から現金を受け入れ、紙幣還流ユニット１１５及び硬貨還流ユニット１１６による現金の真贋の鑑別、計数、収納等が行われる。制御部１１１は、紙幣還流ユニット１１５及び硬貨還流ユニット１１６が受け入れた金額の通知を受けて入金額を管理する。また、この処理では、投票券投入口１０２を介して投票者から払戻投票券を受け入れ、払戻投票券読取ユニット１１８による投票内容の読取等も行われる。制御部１１１は、払戻投票券読取ユニット１１８が読み取った投票内容の通知を受けると、その投票内容が的中であるか否かを管理装置２００に問い合わせ、的中である場合には、対応する的中金額（払戻金額）を入金額に反映する。なお、投票内容が的中であるか否かの問い合わせは、例えば、投票券発券装置１００から管理装置２００へ払戻電文が送信され、その応答電文が管理装置２００から投票券発券装置１００へ送信されることによって行われる。
【００５１】
なお、この例では、現金２０００円が投入され、且つ、払戻金が１０００円の払戻投票券が挿入されたものとする。
【００５２】
続いて、投票券発券装置１００は、投票カード１０の受入処理を行う（ステップＳ１０２）。この処理では、投票カード投入排出口１０４を介して投票者から投票カード１０を受け入れる。投票カード１０は、例えば、図６に示す的中確信度記入欄１０ａを有する投票カードである。図６（ａ）に示すように、投票カード１０の表面には、その上段部分に場名、レース番号、式別を記入する欄が、その中段部分に投票対象と投票金額を記入する欄及び取消欄が設けられる。さらに、その下段部分に投票者が的中する可能性が高いと考える馬番に対して的中を確信する程度（本命、対抗、穴、注目等）を記入する的中確信度記入欄１０ａが設けられる。一方、投票カード１０の裏面には、図６（ｂ）に示すように、必要な最小限の項目（式別、投票対象、投票金額、取消欄）のみが設けられる。この例では、投票カード１０は、的中確信度記入欄１０ａを裏面に有しない。これは、表面の的中確信度記入欄１０ａが、裏面の情報に対しても共有されている為であるが、これに限定されるものではなく、裏面にも有して、表面、裏面各面に対して、個別に設定してもよい。
【００５３】
投票券発券装置１００は、投票カード１０を受け入れると、受け入れた投票カードから情報を読み取る（ステップＳ１０３）。この処理では、投票カード１０のマーク欄に鉛筆等で記入されている内容が投票カード読取ユニット１１４により読み取られ、制御部１１１が投票カード読取ユニット１１４で読み取った内容のうちの上段部分及び中段部分に記入されていた内容（場名、レース番号、式別、投票対象、投票金額等）を投票内容として、下段部分（的中確信度記入欄１０ａ）に記入されていた内容を優先情報（的中確信度情報ともいう）として取得する。
【００５４】
この例では、投票対象（１−５、２−５、４−８、８−１２、１６−１７、１５−１８）とそれらに対応する投票金額（１０００円、１０００円、５００円、５００円、３００円、３０００円）を含む投票内容が取得される。また、馬番１と５が本命、馬番２が対抗、馬番４と８が穴、馬番１５と１７が注目、と定義された優先情報も取得される。
【００５５】
続いて、投票券発券装置１００は、入金額が不足しているか否かを判定する（ステップＳ１０４）。この処理では、制御部１１１によりステップＳ１０１で受け入れた入金額とステップＳ１０３で取得した投票金額の合計とが比較されて、投票金額の合計が入金額を上回っているか否かが判定される。
【００５６】
この例では、投票金額の合計は６３００円であり、入金額（現金と払戻金の合計）の３０００円を上回っているため、ステップＳ１０４の判定結果はＹＥＳとなる。
【００５７】
ステップＳ１０４の判定結果がＹＥＳの場合、つまり、入金額が不足している場合、投票券発券装置１００は、投票対象の優先順位を決定する（ステップＳ１０５）。この処理では、制御部１１１が、ステップＳ１０３で取得した優先情報に基づいて、ステップＳ１０３で取得した投票対象の優先順位を決定する。より詳細には、優先情報を参照し、本命に対応する馬番を最優先とし、その後、対抗、穴、注目の順番でそれらに対応する馬番を優先することで、投票対象の優先順位を決定する。
【００５８】
この例では、投票対象（１−５）が優先順位（１）に、投票対象（２−５）が優先順位（２）に、投票対象（４−８）が優先順位（３）に、投票対象（８−１２）が優先順位（４）に、投票対象（１６−１７）が優先順位（５）に、投票対象（１５−１８）が優先順位（６）に決定される。
【００５９】
優先順位を決定すると、投票券発券装置１００は、投票対象から削除する候補である削除対象候補を決定する（ステップＳ１０６）。この処理では、制御部１１１がステップＳ１０５で決定した優先順位に基づいて、削除対象候補がすべて削除された後の投票金額の合計が入金額以下となるように、削除対象候補を決定する。より詳細には、投票対象を優先順位が低いものから順に、削除後の投票金額の合計が入金額以下となるまで、削除対象候補として決定する。
【００６０】
この例では、まず、最も優先順位が低い投票対象（１５−１８）が削除対象候補として決定される。ただし、削除対象候補（１５−１８）の投票金額は３０００円であり、削除対象候補（１５−１８）を削除したとしても削除後の投票金額の合計（３３００円）は入金額（３０００円）以下とならない。そこで、次に優先順位が低い投票対象（１６−１７）も削除対象候補として決定される。削除対象候補（１６−１７）の投票金額は３００円であり、２つの削除対象候補（１５−１８、１６−１７）を削除した後の投票金額の合計（３０００円）は入金額（３０００円）以下となる。したがって、優先順位の低い２つの投票対象（１５−１８、１６−１７）が削除対象候補として決定される。
【００６１】
削除対象候補を決定すると、投票券発券装置１００は、図７に示す修正画面を表示して（ステップＳ１０７）、投票者に対して投票金額の合計が入金額内に収まるような投票内容の調整または追加入金を促す。この処理では、制御部１１１は、ステップＳ１０６で決定した削除対象候補を他の投票対象と区別した修正画面をディスプレイ１０８に表示させる。
【００６２】
この例では、図７に示すように、削除対象候補である１６−１７、１５−１８を削除するための削除ボタン（ボタンＢ１、ボタンＢ２）を修正画面内に表示することで、これらの削除対象候補が他の投票対象から区別される。
【００６３】
なお、ステップＳ１０７では、制御部１１１は、場名、レース番号、式別、投票対象、投票金額などの投票内容及び入金額（残金）とともに、投票カード１０から読み取った優先情報（的中確信度情報）を修正画面内に表示する。優先情報は、例えば、投票カード１０の的中確信度記入欄１０ａと同じ形式、つまり、馬番と優先度（本命、対抗等）を縦横に並べた表形式で表示される。
【００６４】
また、優先情報を表示する表Ｔ１の各領域（図７において点線で区切られ且つグレーで塗りつぶされている領域）は、優先情報の設定を変更するキー（的中確信度キーとも記す）として機能してもよい。尚、表Ｔ１の領域のうち投票対象の馬番に対応する領域が的中確信度キーとして機能する。この場合、優先情報が未定義の馬番（例えば、馬番１２等）のいずれかの領域を押下することで、その馬番の優先情報が追加され、優先情報が定義済みの馬番（例えば、馬番１等）のいずれかの領域を押下することで、その馬番の優先情報が変更される。なお、図５では図示していないが、修正画面において優先情報の設定が変更されると、投票券発券装置１００は、ステップＳ１０５及びステップＳ１０６の処理をやり直して、修正画面が表示しなおす。
【００６５】
修正画面表示後、投票券発券装置１００は、追加入金の有無を判定する（ステップＳ１０８）。ステップＳ１０８の判定結果がＹＥＳの場合には、投票券発券装置１００は、ステップＳ１０４に戻る。一方、ステップＳ１０８の判定結果がＮＯの場合には、投票券発券装置１００は、削除指示の有無を判定する（ステップＳ１０９）。この処理では、制御部１１１が、削除ボタンを押下したことにより生じる信号をタッチパネル１０９から受信したか否かを判定する。
【００６６】
ステップＳ１０９の判定結果がＹＥＳの場合、つまり、削除ボタンが押下された場合には、投票券発券装置１００は、投票者が押下した削除ボタンに対応する削除対象候補を投票対象から削除し（ステップＳ１１０）、ステップＳ１０４に戻る。一方、ステップＳ１０９の判定結果がＮＯの場合、ステップＳ１０８に戻る。
【００６７】
これにより、投票券発券装置１００では、投票金額が入金額内に収まるまで、ステップＳ１０４からステップＳ１１０の処理が繰り返し行われる。或いは、２つの削除対象候補（１５−１８、１６−１７）の削除ボタン（ボタンＢ１、ボタンＢ２）が両方共押されるまでステップＳ１１０にて待つことにしても良く、この場合には、投票金額が入金額内に収まってからステップＳ１０４に戻る。
【００６８】
ステップＳ１０４の判定結果がＮＯの場合、つまり、投票金額が入金額内に収まる場合、投票券発券装置１００は、図８に示す確認画面を表示して（ステップＳ１１１）、投票者に投票内容を確認させる。この処理では、制御部１１１は、ステップＳ１０３で取得した投票内容、または、投票対象の一部を削除した場合には削除処理後の投票内容、を含む確認画面をディスプレイ１０８に表示させる。
【００６９】
なお、ステップＳ１１１では、制御部１１１は、場名、レース番号、式別、投票対象、投票金額などの投票内容及び入金額（残金）とともに、投票カード１０から読み取った優先情報（的中確信度情報）を確認画面に表示する。優先情報は、修正画面と同様に、投票カード１０の的中確信度記入欄１０ａと同じ形式、つまり、馬番と優先度（本命、対抗等）を縦横に並べた表形式で表示されるが、優先情報を表示する表Ｔ２の各領域は、優先情報の設定を変更するキーとして機能しない点が修正画面とは異なる。
【００７０】
投票者が投票内容を確認して確認画面の発券ボタンＢ３を押下すると、投票券発券装置１００は、これを検出して、投票内容に応じた投票電文を作成し、管理装置２００へ送信する（ステップＳ１１２）。なお、その投票電文を受信した管理装置２００は、その投票内容に応じた発券を許可するか否かを判定し、許可する場合には投票券発券装置１００へ発券許可応答を送信し、該当レースの発売締切や投票された馬番号の出走取消などにより発券を許可しない場合には投票券発券装置１００へ発券不許可応答を送信する。
【００７１】
続いて、投票券発券装置１００は、管理装置２００から受信した応答が発券許可応答であるか否かを判定する（ステップＳ１１３）。
【００７２】
ステップＳ１１３の判定結果がＹｅｓの場合、投票券発券装置１００は、発券許可応答に対応する投票券を発券し（ステップＳ１１４）、処理を終了する。この処理では、投票券印刷ユニット１１７による投票券の印刷、発券が行われる。一方、ステップＳ１１３の判定結果がＮｏの場合、投票券発券装置１００は、投票カードの返却処理を行い（ステップＳ１１５）、処理を終了する。この処理では、投票カード読取ユニット１１４による投票カード投入排出口１０４ｂへの投票カードの返却が行われる。
【００７３】
このように、本実施例に係る投票券発券装置１００では、投票金額の合計が入金額を上回っているときには、投票者が入力した優先情報に基づいて投票対象が順位付けされて、その優先順位に従って決定される削除対象候補が他の投票対象と区別して画面上に表示される。これにより、投票者は、投票者の的中予想を記載した競馬新聞等の資料を参照することなく、投票者自身が的中する可能性が高いと考えている投票対象（即ち、削除すべきでない投票対象）とその他の投票対象とを画面上で容易に見分けることができる。
【００７４】
また、投票券発券装置１００では、投票金額の合計を入金額内に収めるために必要な最小限の投票対象が削除対象候補として表示される。このため、投票者は、削除対象候補として表示された投票対象のすべてを削除するだけで投票金額の合計を入金額内に収めることができる。
【００７５】
従って、投票券発券装置１００によれば、投票金額の合計が入金額内に収まるように投票内容を容易に調整することができる。また、投票者一人当たりの購入時間を短縮することができる。その結果として、より多くの投票者に投票券を購入する機会を提供することができるとともに、公営競技の主催者に売上げ増加の可能性を提供することができる。
【実施例２】
【００７６】
本実施例に係る投票券発券装置（以降、投票券発券装置１００ｂと記す）は、実施例１に係る投票券発券装置１００が投票カードから優先情報を取得するのに対して、タッチパネル１０９を用いた投票者による入力からも優先情報を取得し得る点が異なっている。なお、本実施例に係る投票券発券装置１００ｂの構成は、図１から図３に示す投票券発券装置１００と同様であるので、本実施例に係る投票券発券装置１００ｂの構成要素は、投票券発券装置１００の構成要素と同一の符号で参照する。
【００７７】
図９Ａ及び図９Ｂは、本実施例に係る投票券発券装置１００ｂで行われる投票券発券処理のフローチャートの一例である。図１０は、本実施例に係る投票券発券装置１００ｂに挿入される投票カード２０の一例を示す図である。以下、図９Ａ、図９Ｂ及び図１０を参照しながら、図１０に示す投票カード２０が本実施例に係る投票券発券装置１００ｂに挿入された場合を例に、図４のステップＳ１３に示す投票券発券処理について詳細に説明する。
【００７８】
投票券発券装置１００ｂは、まず、現金及び払戻投票券の受入処理を行う（ステップＳ２０１）。この処理は、図５のステップＳ１０１と同様である。なお、この例でも、現金２０００円が投入され、且つ、払戻金が１０００円の払戻投票券が挿入されたものとする。
【００７９】
続いて、投票券発券装置１００ｂは、投票カードの受入処理を行う（ステップＳ２０２）。この処理では、投票カード投入排出口１０４を介して投票者から投票カードを受け入れる。投票カードは、例えば、図６に示す的中確信度記入欄１０ａを有する投票カード１０であっても、図１０に示す的中確信度記入欄を有しない従来から用いられている投票カード２０であってもよい。この例では、図１０に示す投票カード２０が挿入されたものとする。
【００８０】
なお、図１０（ａ）に示すように、投票カード２０の表面には、その上段部分に場名、レース番号、式別を記入する欄が、その中段部分及び下段部分に投票対象と投票金額を記入する欄及び取消欄が設けられる。一方、投票カード２０の裏面には、図１０（ｂ）に示すように、必要な最小限の項目のみ（式別、投票対象、投票金額、取消欄）が設けられる。
【００８１】
投票券発券装置１００ｂは、投票カードを受け入れると、受け入れた投票カードから情報を読み取る（ステップＳ２０３）。この処理では、投票カードに記入されている内容が投票カード読取ユニット１１４により読み取られる。そして、投票カードが投票カード１０である場合には、図５のステップＳ１０３と同様に、制御部１１１が投票カード１０から投票内容と優先情報を取得する。一方、投票カードが投票カード２０である場合には、制御部１１１が投票内容を取得する。
【００８２】
なお、投票カードの種別（例えば、投票カード１０であるか投票カード２０であるか）は、投票カード読取ユニット１１４で読み取った、投票カードの種別を識別するためのマーク（図６の識別マーク１０ｂ、図１０の識別マーク２０ｂ）に基づいて判定される。
【００８３】
この例では、的中確信度記入欄を有しない投票カード２０であると判定されて、投票対象（１−５、２−５、４−８、８−１２、１６−１７、１５−１８）とそれらに対応する投票金額（１０００円、１０００円、５００円、５００円、３００円、３０００円）を含む投票内容が取得される。
【００８４】
続いて、投票券発券装置１００ｂは、入金額が不足しているか否かを判定する（ステップＳ２０４）。この処理では、制御部１１１によりステップＳ２０１で受け入れた入金額とステップＳ２０３で取得した投票金額の合計とが比較されて、投票金額の合計が入金額を上回っているか否かが判定される。
【００８５】
この例では、投票金額の合計は６３００円であり、入金額（現金と払戻金の合計）の３０００円を上回っているため、ステップＳ２０４の判定結果はＹＥＳとなる。
【００８６】
ステップＳ２０４の判定結果がＹＥＳの場合、つまり、入金額が不足している場合、投票券発券装置１００ｂは、優先情報を取得済みであるか否かを判定する（ステップＳ２０５）。
【００８７】
この例では、投票カードが的中確信度記入欄を有しない投票カード２０であり、ステップＳ２０３で優先情報が取得されていないため、制御部１１１は優先情報を取得していないと判定し、ステップＳ２０６に進む。その他、的中確信度記入欄１０ａに記入がない投票カード１０が装置に挿入された場合でも、制御部１１１は優先情報を取得していないと判定し、ステップＳ２０６に進む。
【００８８】
一方、的中確信度記入欄１０ａに記入済みの投票カード１０が装置に挿入された場合や、ステップＳ２０７で後述するように優先情報がタッチパネル１０９を用いて入力された場合には、制御部１１１は優先情報を取得済みであると判定し、ステップＳ２１０に進む。
【００８９】
ステップＳ２０５の判定結果がＮＯの場合、つまり、優先情報が取得されていない場合には、投票券発券装置１００ｂは、図１１に示す修正画面を表示する（ステップＳ２０６）。この処理では、制御部１１１は、不足している金額の表示と投票者に追加入金または優先情報（的中確信度）の入力を促す表示を含む修正画面をディスプレイ１０８に表示させる。
【００９０】
この例では、図１１に示すように、修正画面の上段部に、不足金額（３３００円）の表示と追加入金または的中確信度の入力を促す表示が表示される。また、修正画面の下段部には、各領域が優先情報を入力するキー（的中確信度キーとも記す）として機能するとともに入力した優先情報を表示する表Ｔ３が表示される。表Ｔ３の領域のうちの斜線部分は、投票対象に含まれない馬番に対応する領域であり、的中確信度キーとして機能しない。なお、図１１には、後述するステップＳ２０９で馬番１を本命とする優先情報が設定された後の修正画面が示されている。ステップＳ２０６の時点では、修正画面に馬番１を本命とする優先情報は表示されない。
【００９１】
修正画面表示後、投票券発券装置１００ｂは、追加入金の有無を判定する（ステップＳ２０７）。ステップＳ２０７の判定結果がＹＥＳの場合には、投票券発券装置１００ｂは、ステップＳ２０４に戻る。一方、ステップＳ２０７の判定結果がＮＯの場合には、投票券発券装置１００ｂは、タッチパネル操作の有無を判定する（ステップＳ２０８）。この処理では、制御部１１１が、図１１に示す表Ｔ３の領域を押下したことにより生じる信号をタッチパネル１０９から受信したか否かを判定する。
【００９２】
ステップＳ２０８の判定結果がＮＯの場合には、ステップＳ２０７に戻り、投票券発券装置１００ｂは、上記の判定処理を繰り返す。一方、ステップＳ２０８の判定結果がＹＥＳの場合には、投票券発券装置１００ｂは、タッチパネル操作により入力された優先情報を取得し（ステップＳ２０９）、ステップＳ２１０に進む。
【００９３】
ステップＳ２１０からステップＳ２２０までの処理は、図５のステップＳ１０５からステップＳ１１５までの処理と同様であるので、説明を省略する。なお、ステップＳ２１２では、表Ｔ４の領域のうち投票対象の馬番に対応する領域が的中確信度キーとして機能する図１２に示す修正画面が表示される。
【００９４】
本実施例に係る投票券発券装置１００ｂによっても、実施例１に係る投票券発券装置１００と同様に、投票金額の合計が入金額内に収まるように投票内容を容易に調整することができる。また、投票者一人当たりの購入時間を短縮することができる。その結果として、より多くの投票者に投票券を購入する機会を提供することができるとともに、公営競技の主催者に売上げ増加の可能性を提供することができる。
【００９５】
また、本実施例に係る投票券発券装置１００ｂでは、優先情報を投票カードから取得できない場合には、タッチパネル１０９を用いて投票者により入力された優先情報に基づいて投票対象の優先順位を決定する。即ち、投票者による優先情報の入力方法として複数の方法が許容される。このため、本実施例に係る投票券発券装置１００ｂによれば、的中確信度記入欄１０ａを有する専用の投票カード１０を使用した場合だけではなく、的中確信度記入欄を有しない既存の投票カード２０を使用した場合であっても、投票内容を容易に調整することができる。
【実施例３】
【００９６】
本実施例に係る投票券発券装置（以降、投票券発券装置１００ｃと記す）は、図１３に示すように、投票者による修正情報の入力に基づいて投票対象を修正する修正部１３７を有する点が、実施例１に係る投票券発券装置１００と異なっている。その他の構成は、投票券発券装置１００と同様であるので、修正部１３７以外の構成要素は、投票券発券装置１００の構成要素と同一の符号で参照する。
【００９７】
図１４Ａ及び図１４Ｂは、本実施例に係る投票券発券装置１００ｃで行われる投票券発券処理のフローチャートの一例である。以下、図１４Ａ及び図１４Ｂを参照しながら、図６に示す投票カード１０が本実施例に係る投票券発券装置１００ｃに挿入された場合を例に、図４のステップＳ１３に示す投票券発券処理１００ｃについて詳細に説明する。
【００９８】
投票券発券装置１００ｃは、まず、現金及び払戻投票券の受入処理、投票カードの受入処理、投票カードの読取処理を行う（ステップＳ３０１からステップＳ３０３）。これらの処理は、図５のステップＳ１０１からステップＳ１０３と同様である。なお、この例では、現金５０００円が投入され、且つ、払戻金が１３００円の払戻投票券が挿入されたものとする。また、図６に示す投票カード１０が挿入されたものとする。
【００９９】
続いて、投票券発券装置１００ｃは、投票カード１０に誤記入があるか否かを判定する（ステップＳ３０４）。この処理では、制御部１１１により投票カード１０のうちの投票対象を記入する部分に誤記入があるか否かを判定する。なお、投票カードにおける誤記入とは、例えば、マークの記入不備（マークが薄い、マークの位置不良（はみだし）、マークが小さい等）や、一つのマークが記入されるべきところに複数のマークが記入された場合等を含む。
【０１００】
ステップＳ３０４の判定結果がＮＯの場合、つまり、誤記入がないと判定された場合には、ステップＳ３０８に進む。一方、ステップＳ３０４の判定結果がＹＥＳの場合、つまり、誤記入があると判定された場合には、投票券発券装置１００ｃは、図１５（ａ）に示す修正画面を表示する（ステップＳ３０５）。この処理では、制御部１１１は、誤記入と判断された箇所を明示した修正画面をディスプレイ１０８に表示させる。
【０１０１】
この例では、図１５（ａ）に示すように、修正画面の上段部に、誤記入を修正するための修正情報（ここでは、馬番）の入力を促す表示が表示される。また、修正画面の中段部には、誤記入箇所が疑問符“？”で示された投票内容と、誤記入を修正するための修正情報（馬番）の入力に用いられる馬番選択キー群Ｋ１が表示される。さらに、修正画面の下段部には、優先情報を表示するとともに誤記入を修正するための修正情報（馬番）の入力に用いられる表Ｔ５が表示される。なお、表Ｔ５の各領域は優先情報を入力するキー（的中確信度キーとも記す）としても機能する。
【０１０２】
修正画面表示後、投票券発券装置１００ｃは、修正情報の入力の有無を判定する（ステップＳ３０６）。この処理では、制御部１１１は、図１５（ａ）に示す馬番選択キー群Ｋ１または表Ｔ５を押下したことにより生じる信号をタッチパネル１０９から受信したか否かを判定する。
【０１０３】
ステップＳ３０６の判定結果がＮＯの場合には、投票券発券装置１００ｃは、ステップＳ３０６に戻る。つまり、修正情報の入力があるまで判定処理を繰り返す。一方、ステップＳ３０６の判定結果がＹＥＳの場合には、投票券発券装置１００ｃは、修正情報に従って、誤記入を修正する（ステップＳ３０７）。この処理では、馬番選択キー群Ｋ１を使用して修正情報が入力された場合、制御部１１１は、押下された馬番選択キーの馬番を修正情報として取得し、誤記入箇所をその修正情報（馬番）に置き換えることにより、誤記入のある投票対象を訂正する。これに対して、表Ｔ５を使用して修正情報が入力された場合、制御部１１１は、押下された的中確信度キーに対応する馬番を修正情報として取得し、誤記入箇所をその修正情報（馬番）に置き換えることにより、誤記入のある投票対象を訂正する。さらに、押下された的中確信度キーに対応する優先情報を設定する。従って、例えば、図１５（ｂ）に示すように、表Ｔ５の第５列（馬番５）の第２行（対抗）が押下されると、誤記入のある投票対象が１−５に訂正されるとともに、馬番５の優先情報が本命から対抗に変更される。また、表Ｔ５の第５列（馬番５）の第３行（穴）が押下されると、誤記入のある投票対象が１−５に訂正されるとともに、馬番５の優先情報が本命から穴に変更される。
【０１０４】
なお、表Ｔ５は、的中確信度キーとして機能せずに、図１５（ｃ）に示すように、列毎に一つのキーとして機能しても良い。この場合、表Ｔ５の第５列（馬番５）が押下されると、誤記入のある投票対象が１−５に訂正されるが、優先情報は変更されない。また、表Ｔ５の第２列（馬番２）が押下されると、誤記入のある投票対象が１−２に訂正されるが、優先情報は変更されない。
【０１０５】
ステップＳ３０８からステップＳ３１９までの処理は、図５のステップＳ１０４からステップＳ１１５までの処理と同様であるので、説明を省略する。なお、図１６は、ステップＳ３１５で表示される確認画面の一例である。
【０１０６】
本実施例に係る投票券発券装置１００ｃによっても、実施例１に係る投票券発券装置１００と同様に、投票金額の合計が入金額内に収まるように投票内容を容易に調整することができる。また、投票者一人当たりの購入時間を短縮することができる。その結果として、より多くの投票者に投票券を購入する機会を提供することができるとともに、公営競技の主催者に売上げ増加の可能性を提供することができる。
【０１０７】
また、本実施例に係る投票券発券装置１００ｃは、投票対象のうちの誤記入のある投票対象を訂正する修正部１３７を有しているため、投票券発券装置１００ｃから投票カードを取り出すことなく投票対象を修正することができる。
【０１０８】
また、本実施例に係る投票券発券装置１００ｃでは、誤記入を修正する修正画面上に優先情報が表示される。優先情報の表示は、誤記入のある投票対象が本来はどのような投票対象であったかを推測する助けとなる。このため、本実施例に係る投票券発券装置１００ｃによれば、誤記入の訂正を容易に行うことができる。
【０１０９】
また、本実施例に係る投票券発券装置１００ｃでは、優先情報が表形式で表示され、優先情報を表示した表（例えば、図１５の表Ｔ５）に対する投票者の操作に基づいて投票対象を訂正することができる。このため、本実施例に係る投票券発券装置１００ｃによれば、修正画面上の空間を効率良く使用することができる。
【０１１０】
各実施例に係る投票券発券装置として競馬用の投票券発券装置を例示したが、上述した技術は、競馬以外の任意の公営競技の投票券発券装置に適用可能である。上述した各実施例は、発明の理解を容易にするために本発明の具体例を示したものであり、本発明はこれらに実施例に限定されるものではない。本発明の投票券発券装置は、特許請求の範囲に規定された本発明の思想を逸脱しない範囲において、さまざまな変形、変更が可能である。
【０１１１】
例えば、実施例２では、投票カードから優先情報を取得する方法とタッチパネル操作から優先情報を取得する方法を併用した例を示したが、実施例２に係る投票券発券装置１００ｂをタッチパネル操作からのみ優先情報を取得するように変形してもよい。また、投票カードから優先情報が取得できない場合に、管理装置２００から取得した投票オッズに基づいて優先情報を生成し、オッズから生成した優先情報に基づいて優先順位を決定するように、実施例２に係る投票券発券装置１００ｂを変形しても良い。また、実施例３では、実施例１に係る投票券発券装置１００に誤記入を訂正する機能を追加した例を示したが、実施例２に係る投票券発券装置１００ｂに誤記入を訂正する機能を追加しても良い。また、実施例３では、修正部１３７により投票対象の誤記入を訂正する例を示したが、修正部１３７が投票内容（投票対象以外を含む）を訂正するように、または、修正部１３７が誤記入に限らず投票内容を修正するように、実施例３に係る投票券発券装置１００ｃを変形してもよい。
【符号の説明】
【０１１２】
１０、２０        投票カード
１０ａ            的中確信度記入欄
１０ｂ、２０ｂ    識別マーク
１００、１００ｂ、１００ｃ  投票券発券装置
１０１            運用状況表示窓
１０２            投票券投入口
１０３            投票券排出口
１０４            投票カード投入排出口
１０５            紙幣投入排出口
１０６            硬貨投入口
１０７            硬貨排出口
１０８            ディスプレイ
１０９            タッチパネル
１１１            制御部
１１２            管理者用ディスプレイ
１１３            管理者用タッチパネル
１１４            投票カード読取ユニット
１１５            紙幣還流ユニット
１１６            硬貨還流ユニット
１１７            投票券印刷ユニット
１１８            払戻投票券読取ユニット
１１９            可搬型記録媒体
１２０            ＣＰＵ
１２１            ＲＡＭ
１２２            ＨＤＤ
１２３            通信インタフェース
１２４            グラフィック処理ユニット
１２５            入出力インタフェース
１２６            バス
１３１            投票情報取得部
１３２            優先順位決定部
１３３            削除対象候補決定部
１３４            表示制御部
１３５            削除部
１３６            発券部
１３７            修正部
２００            管理装置
３００            ネットワーク
１０００          トータリゼータシステム
Ｂ１、Ｂ２、Ｂ３  ボタン
Ｔ１、Ｔ２、Ｔ３、Ｔ４、Ｔ５  表
Ｋ１              馬番選択キー群
【図１】
2014211702.tif 000003
【図２】
2014211702.tif 000004
【図３】
2014211702.tif 000005
【図４】
2014211702.tif 000006
【図５】
2014211702.tif 000007
【図６】
2014211702.tif 000008
【図８】
2014211702.tif 000009
【図９Ａ】
2014211702.tif 000010
【図９Ｂ】
2014211702.tif 000011
【図１０】
2014211702.tif 000012
【図１３】
2014211702.tif 000013
【図１４Ａ】
2014211702.tif 000014
【図１４Ｂ】
2014211702.tif 000015
【図１６】
2014211702.tif 000016
【図７】
2014211702.tif 000017
【図１１】
2014211702.tif 000018
【図１２】
2014211702.tif 000019
【図１５】
2014211702.tif 000020